(57)【要約】【課題】駒体を連結する部材の端部が露出しない構造であって、構造が簡潔で、かつ簡易に組立が行えるバンドの連結機構を提供する。【解決手段】駒体１の一方に回動ピン３を設け、他方に鉤溝６を設け、隣接する駒体１同士で、それぞれの回動ピン３と鉤溝６とを駒体１の内部にて係合させ、係合後に回動ピン３と鉤溝６との係合部分に阻止部材８を挿入することにより、回動ピン３の抜けを阻止し、かつ隣接する駒体１を互いに回動可能に連結する。【選択図】図３
2010075645.tif 000002
【特許請求の範囲】
【請求項１】
複数の駒体が、それぞれ他の駒体と側部が隣接した状態で連結するバンドの連結機構であって、
前記駒体における一方側の駒体との隣接部に連結部を突設し、該連結部に駒体連結方向に直交する方向に延出する回動ピンを設け、前記駒体における他方側の駒体との隣接部内に挿入部分と係合部分とからなる鉤溝を側部に有する凹部を形成し、さらに前記駒体に外側から前記凹部に延存する横孔を形成し、
隣接する駒体の一方の駒体における前記連結部を他方の駒体における前記凹部に挿入すると共に、一方の駒体における前記回動ピンを他方の駒体における前記鉤溝の前記挿入部分から挿入して前記連結部と共に前記鉤溝の前記係合部分へ移動させ、前記回動ピンを前記係合部分にて回動可能にし、
さらに前記横孔から前記連結部の移動を阻止する阻止部材を嵌挿したことを特徴とするバンドの連結機構。
【請求項２】
前記鉤溝として、前記挿入部分と前記係合部分とにより略Ｌ状の溝を形成したことを特徴とする請求項１記載のバンドの連結機構。
【発明の詳細な説明】
【技術分野】
【０００１】  本発明は、時計バンドや装飾品用のバンドに適用され、複数の駒体を連結して長尺のバンドとして構成するためのバンドの連結機構に関するものである。
【背景技術】
【０００２】  複数の駒体からなるバンドの類では、隣接する駒体が種々の形状，構造の連結軸部材を用いて連結される構成になっている。【０００３】  従来では前記連結軸部材は、駒体の側方からねじ込む構造であったり、スプリングが内蔵される軸状筒体を用いる構造のものが一般的であった。このため簡易な構造のものでは、連結軸部材の端部が駒体の側部から露出していた。【０００４】  ところが、外観が重視される高級かつ高価なバンド類においては、駒体の側部から連結軸部材の端部が露出することは、デザイン上，外観を劣化させる原因となる。【０００５】  このことを防ぐため、従来、連結軸部材の端部を駒体の側部から露出させないような各種の工夫がなされてきていた（例えば特許文献１，２参照）。
【特許文献１】特開平７−６７７０７号公報
【特許文献２】実用新案登録第３１３７１２１号公報
【発明の開示】
【発明が解決しようとする課題】
【０００６】  しかし、前記従来のバンドの構成では、駒体の側部から連結軸部材の端部を露出させない構造にするために、駒体あるいは連結軸部材、さらには、それらに関連する部材などの構造が複雑となり、これにより部品数が多くなり、組立が煩雑になってコストアップとなる原因となっていた。【０００７】  そこで本発明は、複数の駒体を連結して製造される従来のバンド類の問題を解決するため、駒体を連結する部材の端部が露出しない構造であって、その構造が簡潔で、かつ簡易に組立が行えるバンドの連結機構を提供することを目的とする。
【課題を解決するための手段】
【０００８】    本発明のバンドの連結機構は、複数の駒体が、それぞれ他の駒体と側部が隣接した状態で連結するバンドの連結機構であって、前記駒体における一方側の駒体との隣接部に連結部を突設し、該連結部に駒体連結方向に直交する方向に延出する回動ピンを設け、前記駒体における他方側の駒体との隣接部内に挿入部分と係合部分とからなる鉤溝を側部に有する凹部を形成し、さらに前記駒体に外側から前記凹部に延存する横孔を形成し、隣接する駒体の一方の駒体における前記連結部を他方の駒体における前記凹部に挿入すると共に、一方の駒体における前記回動ピンを他方の駒体における前記鉤溝の前記挿入部分から挿入して前記連結部と共に前記鉤溝の前記係合部分へ移動させ、前記回動ピンを前記係合部分にて回動可能にし、さらに前記横孔から前記連結部の移動を阻止する阻止部材を嵌挿したものである。【０００９】  このように構成し、駒体自体に、他の駒体との連結部である回動ピンと鉤溝とを設けて、これらを隣接する駒体同士で駒体内部にて係合させ、係合後に該係合部分に阻止部材を挿入することにより、隣接する駒体が互いに回動可能に連結されることになる。この連結状態では、回動ピンの端部は駒体内部にあるため外部に露出することはない。【００１０】  また、前記鉤溝として、前記挿入部分と前記係合部分とにより断面略Ｌ状の溝を形成したことにより、鉤溝による回動ピン部分の挿入ガイドおよび係合がスムーズに行われることになる。
【発明の効果】
【００１１】  本発明では、駒体自体に他の駒体との連結部である回動ピンと鉤溝とを設けて、これらを隣接する駒体同士で駒体内部にて係合させ、係合後に該係合部分に阻止部材を挿入することにより、隣接する駒体を互いに回動可能かつ強固に連結することができる。そして、連結状態では、回動ピンの端部は駒体内部にあるため外部に露出することがない。このため、ピン端部が駒体の外側に点在して現れて外観を低下させ、バンドとしての高級感を損なうことなどを防ぐことができる。
【発明を実施するための最良の形態】
【００１２】  以下に本発明の好適な実施形態を図面にて説明する。
図１は本発明に係るバンドの連結機構の実施形態における駒単体を示す図であって、（ａ）が平面図、（ｂ）が正面図、（ｃ）が側面図、図２（ａ）〜（ｃ）は本実施形態における駒単体を各面から視た斜視図である。【００１３】  図１（ａ）〜（ｃ），図２（ａ）〜（ｃ）において、１は駒体であって両側に他の駒体が連結され、該駒体１における他の駒体との隣接部の一側に連結部２を突出し、連結部２の両側に、駒体連結方向に直交する方向に回動ピン３を延出させている。また、当該駒体１の他方の隣接部内部には、挿入部分４と係合部分５からなる鉤溝６を有する凹部９を形成しており、本例では鉤溝６を、挿入部分４と係合部分５とにより断面略Ｌ状の形状にしている。【００１４】  さらに、駒体１には、該駒体１の外側から鉤溝６の係合部分５近傍の凹部９に延在する横孔７を形成している。この横孔７には、本例では後述するように板状の阻止部材８が挿入される。【００１５】  前記駒体１を順次連結してバンドを製造する。そのバンドの組立・組付について説明する。
図３（ａ）〜（ｄ）は本実施形態におけるバンドの連結工程を説明するための駒体の側面図である。まず、図３（ａ）に示す状態から、駒体１の連結部２を、隣接する駒体１における凹部９に挿入し、かつ連結部２の回動ピン３を、隣接する駒体１における鉤溝６の挿入部分４へ挿入し、さらに図３（ｂ）に示すように、回動ピン３を係合部分５方向に横移動させる。【００１６】  次に、図３（ｃ）に示すように、係合部分５にて連結部２と共に回動ピン３を上昇させることにより、隣接する駒体１同士の外側が同一平面とする。この状態にして、図４に示すように、阻止部材８を、駒体１の外側から横孔７に入れて、係合部分５に至るまで挿入する。そして、図３（ｄ）に示すように、阻止部材８が横孔７に入り切った状態で、連結部２と阻止部材８とが当接することになる。これにより連結部２は移動が阻止され、回動ピン３は、回動可能であるが、係合部分５から挿入部分４を経て外部へ抜け出すようなことはない。【００１７】  図５に本実施形態における駒体組込状態の図を示す。図５において、（ａ）は平面図、（ｂ）は（ａ）におけるＡ−Ａ断面図、（ｃ）は（ａ）におけるＢ−Ｂ断面図である。
このように隣接する駒体１の連結を複数の駒体１に行うことで、図６に示す斜視図のように、長尺のバンド１０が構成される。複数の駒体１を連結してバンド１０として完成させた後には、各回動ピン３が係合部分５で回動可能に遊嵌されているため、バンド１０は装着者の腕などに沿うように全体が折り曲がるようになる。【００１８】  駒体１の形状，材質などは、特に限定されず、前記各部を一体的に形成できるものがあれば望ましい。
また、各部の形状なども本実施形態のものに限定されず、例えば阻止部材８は、平板状でなくて、軸，ピン形状であってもよい。
【産業上の利用可能性】
【００１９】  本発明は、駒体を連結する部材の端部が露出しない構造のバンドに適用され、駒材の材料としては一般的なスチール材のみならず、セラミック，高硬度の金属などの細かな加工がし難い材質からなる駒体を用いるバンドに実施して有効である。
【図面の簡単な説明】
【００２０】
【図１】本発明に係るバンドの連結機構の実施形態における駒単体を示す図であって、（ａ）が平面図、（ｂ）が正面図、（ｃ）が側面図である。
【図２】（ａ）〜（ｃ）は本実施形態における駒単体を各面から視た斜視図である。
【図３】（ａ）〜（ｄ）は本実施形態におけるバンドの連結工程を説明するための駒体の側面図である。
【図４】本実施形態における阻止部材を駒体の横孔へ挿入する際の状態を示す斜視図である。
【図５】本実施形態における駒体組込状態の図であって、（ａ）は平面図、（ｂ）は（ａ）におけるＡ−Ａ断面図、（ｃ）は（ａ）におけるＢ−Ｂ断面図である。
【図６】駒体連結後の完成したバンドを示す斜視図である。
【符号の説明】
【００２１】１  駒体
２  連結部
３  回動ピン
４  挿入部分
５  係合部分
６  鉤溝
７  横孔
８  阻止部材
９  凹部
１０  バンド
【図１】
2010075645.tif 000003
【図２】
2010075645.tif 000004
【図３】
2010075645.tif 000005
【図４】
2010075645.tif 000006
【図５】
2010075645.tif 000007
【図６】
2010075645.tif 000008
【手続補正書】
【提出日】平成21年5月13日(2009.5.13)
【手続補正１】
【補正対象書類名】特許請求の範囲
【補正対象項目名】全文
【補正方法】変更
【補正の内容】
【特許請求の範囲】
【請求項１】
複数の駒体が、それぞれ他の駒体と側部が隣接した状態で連結するバンドの連結機構であって、
前記駒体における一方側の駒体との隣接部に連結部を突設し、該連結部に駒体連結方向に直交する方向に延出する回動ピンを設け、前記駒体における他方側の駒体との隣接部内に挿入部分と係合部分とからなる鉤溝を形成し、
隣接する駒体の一方の駒体における前記連結部を他方の駒体における前記凹部に挿入すると共に、一方の駒体における前記回動ピンを他方の駒体における前記鉤溝の前記挿入部分から挿入して前記連結部と共に前記鉤溝の前記係合部分へ移動させ、前記回動ピンを前記係合部分にて回動可能にし、
さらに前記連結部の移動を阻止する阻止部材を前記鉤溝の前記係合部まで嵌挿したことを特徴とするバンドの連結機構。
【請求項２】
前記鉤溝として、前記挿入部分と前記係合部分とにより略Ｌ状の溝を形成したことを特徴とする請求項１記載のバンドの連結機構。
【手続補正２】
【補正対象書類名】明細書
【補正対象項目名】０００８
【補正方法】変更
【補正の内容】
【０００８】  本発明のバンドの連結機構は、複数の駒体が、それぞれ他の駒体と側部が隣接した状態で連結するバンドの連結機構であって、前記駒体における一方側の駒体との隣接部に連結部を突設し、該連結部に駒体連結方向に直交する方向に延出する回動ピンを設け、前記駒体における他方側の駒体との隣接部内に挿入部分と係合部分とからなる鉤溝を形成し、隣接する駒体の一方の駒体における前記連結部を他方の駒体における前記凹部に挿入すると共に、一方の駒体における前記回動ピンを他方の駒体における前記鉤溝の前記挿入部分から挿入して前記連結部と共に前記鉤溝の前記係合部分へ移動させ、前記回動ピンを前記係合部分にて回動可能にし、さらに前記連結部の移動を阻止する阻止部材を前記鉤溝の前記係合部まで嵌挿したものである。